(57)【特許請求の範囲】
【請求項１】
貯蔵室と、
前方に引き出し可能に前記貯蔵室に収納された容器と、
前記貯蔵室の内に配された前記容器の蓋と、
前記貯蔵室の側壁に回動自在に設けられ、かつ、前記蓋に取り付けられた複数の移動部材と、
複数の前記移動部材を連結し、前記移動部材の回動を同期させる連結部材と、
前記貯蔵室に収納された前記容器に押圧されて、前記連結部材を前後方向に移動させる押圧部材と、
を有し、
前記移動部材の回動に伴って、前記蓋が前後方向に摺動しつつ、前記容器に対し上下動し、
前記容器を前方に引き出し、前記容器による前記押圧部材への押圧がなくなると、前記連結部材と前記押圧部材の荷重負荷によって複数の前記移動部材が回動して、前記蓋が上方に移動する、
ことを特徴とする冷蔵庫。
【請求項２】
最も後方に配された前記移動部材と、前記押圧部材とが一体である、
ことを特徴とする請求項１に記載の冷蔵庫。
【請求項３】
貯蔵室と、
前方に引き出し可能に前記貯蔵室に収納された容器と、
前記貯蔵室の内に配された前記容器の蓋と、
前記貯蔵室の側壁に回動自在に設けられ、かつ、前記蓋に取り付けられた複数の移動部材と、
複数の前記移動部材を連結し、前記移動部材の回動を同期させる連結部材と、
を有し、
前記移動部材の回動に伴って、前記蓋が前後方向に摺動しつつ、前記容器に対し上下動し、
前記蓋に通気孔が開口し、
前記移動部材と共に回動すると共に、前記通気孔を開閉する密閉部を有する開閉部材が前記貯蔵室の前記側壁に設けられ、
複数の前記移動部材と共に前記開閉部材が回動して、前記密閉部が前記通気孔を開閉する、
ことを特徴とする冷蔵庫。
【請求項４】
前記蓋の上面に所定間隔毎に複数の突部が設けられ、
前記突部において左右方向に開口すると共に、上下方向に延びた長孔が開口し、
前記長孔と前記移動部材が第１ガイドピンで連結され、
前記密閉部において左右方向に断面円形の挿入孔が開口し、
前記挿入孔と前記開閉部材とが第２ガイドピンで連結され、
前記蓋が複数の前記移動部材によって上方に移動する前に、前記開閉部材が回動して前記密閉部が前記通気孔を開閉する、
ことを特徴とする請求項３に記載の冷蔵庫。
【請求項５】
貯蔵室と、
前方に引き出し可能に前記貯蔵室に収納された容器と、
前記貯蔵室の内に配された前記容器の蓋と、
前記貯蔵室の側壁に回動自在に設けられ、かつ、前記蓋に取り付けられた複数の移動部材と、
複数の前記移動部材を連結し、前記移動部材の回動を同期させる連結部材と、
前記移動部材と前記蓋とを連結するガイドピンと、
を有し、
前記移動部材の回動に伴って、前記蓋が前後方向に摺動しつつ、前記容器に対し上下動し、
前記蓋が最も上方に位置する状態で、前記移動部材における前記ガイドピンの連結位置が、前記移動部材の回動軸より前方に位置する、
ことを特徴とする冷蔵庫。
【請求項６】
貯蔵室と、
前方に引き出し可能に前記貯蔵室に収納された容器と、
前記貯蔵室の内に配された前記容器の蓋と、
前記貯蔵室の側壁に回動自在に設けられ、かつ、前記蓋に取り付けられた複数の移動部材と、
複数の前記移動部材を連結し、前記移動部材の回動を同期させる連結部材と、
前記移動部材と前記連結部材とを連結するリンク軸と、
を有し、
前記移動部材の回動に伴って、前記蓋が前後方向に摺動しつつ、前記容器に対し上下動し、
前記蓋が最も上方に位置する状態で、前記移動部材における前記リンク軸の連結位置が、前記移動部材の回動軸より後方に位置する、
ことを特徴とする冷蔵庫。
【請求項７】
前記蓋が前記容器を密封するためのシール部材が、前記容器、又は、前記蓋に設けられている、
ことを特徴とする請求項１乃至６のいずれか一項に記載の冷蔵庫。
【請求項８】
前記容器内の酸素を減少させる減酸素装置を有する、
ことを特徴とする請求項１乃至７のいずれか一項に記載の冷蔵庫。
【請求項９】
前記減酸素装置が、前記容器の後方にある前記貯蔵室の背面に配されている、
ことを特徴とする請求項８に記載の冷蔵庫。
【請求項１０】
前記容器の後壁に開口部が開口し、
前記減酸素装置が前記冷蔵庫の冷気を流す送風ダクト内部に配され、
前記減酸素装置の前面に接続部材が設けられ、
前記接続部材の前端部にシール部材が設けられ、
前記貯蔵室に収納された前記容器の前記開口部が、前記シール部材を介して前記減酸素装置の前記接続部材と接続される、
ことを特徴とする請求項９に記載の冷蔵庫。
【請求項１１】
前記貯蔵室内部には、前記容器の下方に下容器が配され、
前記容器に前記減酸素装置が接続されている、
ことを特徴とする請求項８乃至１０のいずれか一項に記載の冷蔵庫。
【請求項１２】
前記容器は、後上端部に後方へ行くほど高くなるように傾斜するガイド面を備え、
前記容器が前方へ引き出されると、前記蓋の後端部が前記ガイド面上を摺動することを特徴とする請求項１〜１１のいずれか一項に記載の冷蔵庫。
【請求項１３】
前記蓋が最も上方に位置すると前記蓋と前記ガイド面との間に間隙があることを特徴とする請求項１２に記載の冷蔵庫。
【発明の詳細な説明】
【技術分野】
【０００１】
本発明の実施形態は、冷蔵庫に関するものである。
【背景技術】
【０００２】
従来より、食品の鮮度を長期間維持するために、冷蔵庫内部の酸素濃度を低くするために、貯蔵室内部に減酸素装置が配された冷蔵庫が提案されている（例えば、特許文献１参照）。
【０００３】
このような減酸素装置を有する冷蔵庫においては、容器内部を減酸素に維持するために、蓋を装備している。
【先行技術文献】
【特許文献】
【０００４】
【特許文献１】特開２００５−２０７６９０号公報
【発明の概要】
【発明が解決しようとする課題】
【０００５】
しかし、上記冷蔵庫においては、食品の出し入れの際に冷蔵庫の引き出し式扉を開け、さらに容器の蓋を開けるという２動作が必要であった。また、この蓋は密閉性が低く、容器内部を減酸素状態にしても、食品の保存状態が悪くなるという問題点があった。
【０００６】
そこで、本発明は上記問題点に鑑み、容器を引き出したときに、一つの動作で蓋を開けることができると共に、蓋を閉めた状態では密閉状態を保持することができる冷蔵庫を提供することを目的とする。
【課題を解決するための手段】
【０００７】
本発明の実施形態は、貯蔵室と、前方に引き出し可能に前記貯蔵室に収納された容器と、前記貯蔵室の内に配された前記容器の蓋と、前記貯蔵室の側壁に回動自在に設けられ、かつ、前記蓋に取り付けられた複数の移動部材と、複数の前記移動部材を連結し、前記移動部材の回動を同期させる連結部材と、前記貯蔵室に収納された前記容器に押圧されて、前記連結部材を前後方向に移動させる押圧部材と、を有し、前記移動部材の回動に伴って、前記蓋が前後方向に摺動しつつ、前記容器に対し上下動し、前記容器を前方に引き出し、前記容器による前記押圧部材への押圧がなくなると、前記連結部材と前記押圧部材の荷重負荷によって複数の前記移動部材が回動して、前記蓋が上方に移動する、ことを特徴とする冷蔵庫である。
【図面の簡単な説明】
【０００８】
【図１】本発明の第１実施形態における上容器と下容器を野菜室に収納した状態の縦断面図である。
【図２】上容器と下容器を前方に引き出した状態の野菜室の縦断面図である。
【図３】扉を取り除いた状態の冷蔵庫の正面図である。
【図４】上容器を収納した状態の側面から見た一部拡大縦断面図である。
【図５】上容器を収納した状態の正面から見た一部拡大縦断面図である。
【図６】上容器を引き出した状態の側面から見た一部拡大縦断面図である。
【図７】上容器を引き出した状態の正面から見た一部拡大縦断面図である。
【図８】上容器を引き出した状態の密閉部と突部の斜視図である。
【図９】上容器を収納した状態の密閉部と突部の斜視図である。
【図１０】本発明の第２実施形態における上容器を収納した状態の側面から見た一部拡大縦断面図である。
【図１１】上容器を引き出した状態の側面から見た一部拡大縦断面図であって、（ａ）が本発明の第２実施形態の場合、（ｂ）が本発明の第１実施形態の場合を示す。
【図１２】本発明の第３実施形態における上容器を引き出した状態の側面から見た一部拡大縦断面図である。
【図１３】本発明の第３実施形態の変更例における上容器を引き出した状態の側面から見た一部拡大縦断面図である。
【図１４】本発明の第４実施形態における上容器を収納した状態の側面から見た一部拡大縦断面図である。
【図１５】本発明の第４実施形態における上容器を引き出した状態の側面から見た一部拡大縦断面図である。
【発明を実施するための形態】
【０００９】
（第１実施形態）
以下、本発明の第１実施形態の冷蔵庫１０について図１〜図９に基づいて説明する。
【００１０】
（１）冷蔵庫１０の構造
冷蔵庫１０の構造について図１及び図２に基づいて説明する。
【００１１】
冷蔵庫１０のキャビネット１２は、外箱と内箱を組み合わせたものであり、その間に断熱材が配され、図３に示すように、上段から冷蔵室１４、野菜室１６、上冷凍室１８、冷凍室２０に区画され、上冷凍室１８の左側には製氷室２２が設けられている。野菜室１６と上冷凍室１８、製氷室２２との間には断熱仕切壁２４が設けられ、冷蔵室１４と野菜室１６とで冷蔵空間が構成され、上冷凍室１８、冷凍室２０及び製氷室２２とで冷凍空間が構成されている。また、冷蔵室１４と野菜室１６との間には仕切り板２５が配されている。
【００１２】
冷蔵室１４の背面には、冷蔵空間を冷却するための冷蔵用蒸発器（以下、単に「Ｒエバ」という）２６が配され、野菜室１６の背面には、冷蔵用ファン（以下、単に「Ｒファン」という）２８が配されている。図１に示すように、Ｒエバ２６で冷却された空気はＲファン２８で冷蔵室１４に送風され、その後に仕切り板２５を経て野菜室１６を冷却する。また、冷蔵室１４を冷却した冷気は、野菜室１６の背面に設けられているリターンダクト３４に送られる。リターンダクト３４は、冷蔵室１４及び野菜室１６を冷却した冷気が循環して、Ｒエバ２６に戻るようにするためのダクトである。リターンダクト３４は、図１及び図２に示すように、野菜室１６からの冷気が戻るための前空間３６と、Ｒエバ２６に流れるための後空間３８とよりなり、前空間３６と後空間３８との間には仕切り壁４０が設けられている。そして、この仕切り壁４０に上記したＲファン２８が配置されている。また、前空間３６の前面５６は、上方ほど前方になるように傾斜した面を構成している。
【００１３】
冷凍室２０の背面には、冷凍空間を冷却するための冷凍用蒸発器（以下、単に「Ｆエバ」という）３０が配され、上冷凍室１８には冷凍用ファン（以下、単に「Ｆファン」という）３２が配されている。Ｆエバ３０で冷却された空気は、Ｆファン３２によって送風されて、上冷凍室１８、冷凍室２０及び製氷室２２を冷却する。
【００１４】
（２）野菜室１６の構造
次に、野菜室１６の構造について、図１及び図２に基づいて説明する。
【００１５】
野菜室１６の前面は開口し、引出し式の扉４２が設けられている。この扉４２の後面からは左右一対の移動レール４４，４４が前後方向に突出している。また、野菜室１６の左右両側壁には、前後方向に固定レール４６．４６がそれぞれ設けられ、扉４２の移動レール４４が、この固定レール４６に沿って移動可能となっている。
【００１６】
左右一対の移動レール４４，４４には、上面が開口した箱型の下容器４８が架設されている。この下容器４８の後部上面には、上容器５０が配置されている。この場合に、下容器４８の上面後部に段部を設け、この段部に上容器５０が配置されている。この上容器５０には、密閉用の蓋５２が配されている。この蓋５２については後から詳しく説明する。上容器５０の後面には、矩形の開口部５４が開口している。
【００１７】
一方、リターンダクト３４の前空間３６の前面５６において、上容器５０の開口部５４と相対向する位置には、板状の減酸素装置５８が取り付けられている。この減酸素装置５８は、高分子電解質膜を用いた減酸素装置であり、高分子電解質膜のアノードとカソードとの間に電圧をかけ、カソード側で水素が水に変わることで減酸素を実現できる。この高分子電解質膜のカソードが上容器５０側に設けられている。減酸素装置５８の前面５６から、上容器５０に向かって筒状の接続部材６０が突出している。接続部材６０の前端部の開口部には、シリコン等の材料でできた環状のシール部材６２が取り付けられている。このシール部材６２に上容器５０の開口部５４が密着することにより、上容器５０内部が、減酸素装置５８と接続される。
【００１８】
また、移動レール４４の後端部と、この野菜室１６の背面には、それぞれ不図示の磁石が設けられ、扉４２を一定以上閉めると、これら磁石が互いに引き合い、磁力によって扉４２が引き込まれる。また、この磁力によってシール部材６２と上容器５０の開口部５４との密着度を向上させることができる。
【００１９】
（３）上容器５０の蓋５２の構造
次に、上容器５０の蓋５２の構造について図４〜図９に基づいて説明する。
【００２０】
上容器５０の上端部は、外方に折り返され、フランジ部６４を形成している。フランジ部６４には、上容器５０の上面開口部の縁に沿って溝６６が設けられ、この溝６６にシール部材６２が嵌め込まれている。
【００２１】
野菜室１６の両側壁には、それぞれ長方形状の固定板７０が前後方向に固定されている。この固定板７０には、長方形の板材よりなる４個の移動部材７２が、各軸７４を中心に回動自在に所定間隔毎に取り付けられている。移動部材７２の軸７４より上方の位置に、左右方向に延びる第１ガイドピン７６が突出している。また、移動部材７２の軸７４よりも下方に位置には、リンク軸８４が設けられ、４個の移動部材７２を一体に連結する板状の連結部材８６が取り付けられている。最も後方にある移動部材７２の下部は、他の移動部材よりも下方に延設され、その延設された下端部には、棒状の押圧部材８２が左右方向に突出している。
【００２２】
図８と図９に示すように、蓋５２の両側端部には、各移動部材７２に対応する位置にそれぞれ突部７８が上方に突出している。突部７８には、長孔８０が左右方向に開口している。長孔８０は、上下方向に長い孔である。そして、移動部材７２から突出した第１ガイドピン７６が、長孔８０を貫通している。これによって、４個の移動部材７２が蓋５２を水平状態に維持する。
【００２３】
図１と図２に示すように、前方から２個目の移動部材７２と３個目の移動部材７２との間の固定板７０には、長方形の板材よりなる開閉部材８８が、軸９０を中心に回動自在に取り付けられている。図８と図９に示すように、開閉部材８８の軸９０より上方の位置から第２ガイドピン９２が左右方向に突出し、この第２ガイドピン９２には、密閉部９４が回動自在に取り付けられている。すなわち、密閉部９４の上部には挿入孔９６が開口し、この挿入孔９６に第２ガイドピン９２が係合している。また、開閉部材８８における軸９０の下方には、リンク軸９８が設けられ、このリンク軸９８には、上記した連結部材８６が連結されている。なお、移動部材７２と開閉部材８８及び連結部材８６は、荷重負荷が掛かるように真鍮又はステンレスで形成され、他の部材は合成樹脂によって形成されており、連結部材８６の重量を蓋５２の重量より重く設定することが好ましい。
【００２４】
蓋５２における密閉部９４に対応する位置には、通気孔１００が開口し、この通気孔１００には、円筒状のゴム部材１０２が上下方向に挿入されている。
【００２５】
（４）蓋５２の動作状態
次に、上容器５０を出し入れするときの蓋５２の動作状態について説明する。
【００２６】
まず、野菜室１６の扉４２を閉めているときの状態について図１、図４、図５、図９に基づいて説明する。
【００２７】
下容器４８及び上容器５０が野菜室１６に収納され、上容器５０の後面にある開口部５４には、シール部材６２を介して減酸素装置５８の接続部材６０が接続されている。
【００２８】
上容器５０の後面によって、最も後方にある移動部材７２の下端の押圧部材８２が後方に押圧され、これに伴って連結部材８６が後方に移動した状態で固定されている。そのため、各移動部材７２が軸７４を中心に、上方ほど前方に傾くような傾斜状態で固定されている（図４参照）。各移動部材７２から突出した第１ガイドピン７６は、図９に示すように、長孔８０の下部に位置すると共に、蓋５２を上容器５０に被せた状態で固定されている。このとき、上容器５０と蓋５２とは、シール部材６８によって密閉されて状態となっている。また、開閉部材８８も移動部材７２と同様に傾斜した状態で固定され、密閉部９４が通気孔１００を密閉した状態で固定されている。このとき、通気孔１００には円筒状のゴム部材１０２が取り付けられているため、密閉を確実に行うことができる。
【００２９】
次に、扉４２を引き出すときの状態について図２、図６、図７、図８に基づいて説明する。
【００３０】
扉４２を前方に引き出すと、下容器４８と共に上容器５０が前方に引き出される。このとき、今まで押圧部材８２を後方に押圧していた上容器５０の後面も前方に移動するため、連結部材８６と各移動部材７２及び開閉部材８８の荷重負荷により、各移動部材７２と開閉部材８８とが軸９０を中心に、図６において時計回りの方向に回動する。
【００３１】
移動部材７２が軸７４を中心に回動し、開閉部材８８が軸９０を中心に回動すると、第１ガイドピン７６と第２ガイドピン９２が軸７４及び軸９０を中心に上方に移動する。このとき、第１ガイドピン７６が挿入されている突部７８の孔が上下方向に延びた長孔８０であるため、第１ガイドピン７６は、最初は長孔８０の上下方向に沿って上方に移動する、あそびがある。一方、第２ガイドピン９２は、密閉部９４における円形の挿入孔９６に嵌合されているため、第２ガイドピン９２の上方への動きと共に密閉部９４が上方に移動する。すなわち、図８と図９に示すように、密閉部９４の上方への移動が、他の４個の突部７８の上方への移動よりも早く移動するため、まず密閉部９４が通気孔１００を開放し、密閉状態を開放する。そのため、開口部５４とシール部材６２との密閉状態がなくなり、簡単に扉４２を前方に引き出すことができる。そして、４個の移動部材７２がさらに上方に回動し、第１ガイドピン７６が長孔８０内を上方に移動することによって４個の突部７８も上方に引き上げられ、蓋５２が水平状態を維持しながら後方に摺動しつつ引き上げられる。すなわち、上容器５０の上面と平行な状態を維持しつつ蓋５２が引き上げられる。扉４２を前方に完全に引き出すと、上容器５０が開放した状態で引き出されるため、従来のように２動作で蓋を開ける動作が不要となる。
【００３２】
次に、扉４２を閉める場合には、扉４２を後方に押すと、下容器４８と上容器５０が野菜室１６に収納される。このとき、上容器５０の後面が押圧部材８２を反時計回りの方向に回動させ、これによって連結部材８６が前後方向に移動して、４個の移動部材７２の上部にある突部７８が下方に移動して、上容器５０の上面に蓋５２を水平な状態を維持しつつ覆い被せる。一方、通気孔１００は、密閉部９４によって密閉され、上容器５０の開口部５４はシール部材６２によって密閉されるため、上容器５０内部は完全に密閉された状態となる。この状態で減酸素装置５８を動作させると、上容器５０内部が減酸素状態となる。
【００３３】
（５）効果
本実施形態によれば、扉４２を引き出すことにより、蓋５２によって密閉された上容器５０を簡単に引き出すことができる。この場合に、蓋５２が上方に移動する前に、通気孔１００を密閉している密閉部９４が上方に移動するため、蓋５２が開け易い。すなわち、上容器５０の内部が減圧状態でも容易に扉４２を開くことができる。
【００３４】
また、蓋５２は水平状態を維持しつつ上容器５０に覆い被ったり、離れたりするため、上容器５０に対する密閉を完全にすることができる。
【００３５】
また、リターンダクト３４内部に減酸素装置５８が配されているため、ユーザが減酸素装置５８に触ることがない。
【００３６】
また、減酸素装置５８が取り付けられていない下容器４８は、上容器５０とは、別の用途に使用できる。例えば、上容器５０がない下容器４８の前部には、ペットボトル等の飲料容器や食材を収納できる。すなわち、下容器４８には、保存がきくジャガイモ等を収納し、上容器５０には、緑黄色野菜を収納するなど、野菜を選択して収納できる。
【００３７】
また、扉４２を引き出すと、まず下容器４８が引き出され、その後に上容器５０が庫外に露出される。そのため、酸素濃度が低い上容器５０が庫外に露出されるまでに、接続部材６０が離れた開口部５４から空気が侵入して、酸素濃度が上がりユーザに悪影響を及ぼすことがない。
【００３８】
（６）変更例
上記実施形態では、上下２段の上容器５０における蓋５２で説明したが、これに限らず１個の容器の蓋についても、本実施形態と同様に適用することができる。
【００３９】
また、上記実施形態では、上容器５０に減酸素装置５８を接続したが、これに代えて、上容器５０の底面に通気孔を開口し、上容器５０で下容器４８の上面開口部を密閉し、上容器４８に上記で説明した蓋５２を被せる。そして、下容器４８に減酸素装置５８を接続して、上容器５０と下容器４８の両容器を減酸素状態に維持してもよい。
【００４０】
また、上記実施形態では、最も後方にある移動部材７２の下部を下方に延設して押圧部材８２を設けたが、この押圧部材８２は移動部材７２と別体にしてもよい。
【００４１】
また、上記実施形態では、４個の移動部材７２によって説明したが、移動部材７２の数はこれに限らず、少なくとも蓋５２の前部と後部にそれぞれ設ければよい。
【００４２】
また、複数の移動部材７２を軸７４を中心に回動自在にし、連結部材８６を軸７４の下方に取り付けて４個の移動部材７２を同期させたが、これ以外の構造で４個の移動部材７２を同期させてもよい。
【００４３】
また、上記実施形態では野菜室で説明したが、蓋を設ける容器が収納される部屋は、他の貯蔵室の容器でもよい。
【００４４】
（第２実施形態）
次に、第２実施形態について図１０及び図１１を参照して説明する。
【００４５】
上記した第１実施形態では、蓋５２が最も上方に位置して上容器５０の上面開口部を開放した状態で、移動部材７２における第１ガイドピン７６の連結位置が、移動部材７２の回動軸に相当する軸７４の上方に位置し、つまり、連結位置と軸７４とが前後方向において同一の位置にあるが、本実施形態では、連結位置が軸７４より前方に位置している点で第１実施形態と相違している。
【００４６】
詳細には、図１０に示すような下容器４８と上容器５０とが野菜室１６に収納され扉４２が閉扉された状態から扉４２を前方へ引き出すことで、下容器４８と上容器５０とが前方に引き出され、今まで押圧部材８２を後方に押圧していた上容器５０の後面も前方に移動するため、連結部材８６と移動部材７２及び開閉部材８８の荷重負荷により、図１１（ａ）に示すように、移動部材７２の重心Ｇが軸７４の下方に達するまで移動部材７２は軸７４を中心に回動する。その結果、移動部材７２に連結する第１ガイドピン７６が、軸７４を中心とする円弧状の軌道を通って上方へ移動することで、長孔８０において第１ガイドピン７６と係止する突部７８が取り付けられた蓋５２を水平状態を維持しつつ上方に移動させ、移動部材７２の重心Ｇが軸７４の下方に達すると、蓋５２が最も上方に位置して上容器５０の上面開口部を開放する。つまり、蓋５２が最も上方に位置する状態とは、上容器５０の後面による押圧部材８２の押圧が解除されたときの蓋５２の位置に相当することになる。
【００４７】
そして、本実施形態では、蓋５２が最も上方に位置する状態において、移動部材７２における第１ガイドピン７６の連結位置Ｐが、移動部材７２の回転軸に相当する軸７４より前方に位置している。
【００４８】
図１１（ｂ）に示すように、移動部材７２における第１ガイドピン７６の連結位置を軸７４と前後方向において同一の位置に配置する場合（この場合の連結位置をＰ０とする）に、押圧部材８４を前後方向へ距離Ｘだけ移動させたときの連結位置Ｐ０の上下方向の移動距離Ｙ０に対して、図１１（ａ）に示すように、連結位置Ｐを軸７４より前方に配置することで、押圧部材８４を前後方向へ距離Ｘだけ移動させたときの連結位置Ｐの上下方向の移動距離Ｙを、前記の移動距離Ｙ０より大きくすることができる。
【００４９】
つまり、本実施形態のように連結位置Ｐを軸７４より前方に配置することで、押圧部材８４の移動距離Ｘの割りに連結位置Ｐの上下方向の移動距離Ｙを大きくすることができるため、蓋５２を開放した際の上容器５０と蓋５２とのクリアランスを大きく確保することができるとともに、蓋５２が上容器５０から離れ始める際（蓋５２が上容器５０の上面開口部を開き始める際）に蓋５２が上容器５０に設けられたシール部材６２に擦れにくくなり、蓋５２の開閉をスムーズに行うことがでできる。
【００５０】
なお、上記した構成及び作用効果以外は第１実施形態と同様であり、詳細な説明は省略する。
【００５１】
（第３実施形態）
次に、第３実施形態について図１２及び図１３を参照して説明する。
【００５２】
本実施形態では、図１２に示すように、扉４２を前方へ引き出す開放動作に伴い、上容器５０の後面による押圧部材８２の押圧が解除され、移動部材７２の重心Ｇが軸７４の下方に到達して蓋５２が最も上方に位置する状態において、移動部材７２におけるリンク軸８４の連結位置Ｑが、移動部材７２の軸７４より後方に位置している。
【００５３】
このように連結位置Ｑを軸７４より後方に配置することで、蓋５２が最も上方に位置する状態において、連結位置Ｑに連結部材８６の自重Ｗが作用することで、図１２に示すような蓋５２を開放する方向への力（図１２において移動部材７２を軸７４の周りに時計回りへ回転させる力）Ｆが作用し続けることになるため、上容器５０の後面による押圧部材８２の押圧が解除されても蓋５２の自重による下方への移動を抑えることができる。
【００５４】
また、図１３に示すように、蓋５２が最も上方に位置する状態において、上記第２実施形態のように移動部材７２における第１ガイドピン７６の連結位置Ｐを移動部材７２の軸７４より前方に配置することに加え、移動部材７２におけるリンク軸８４の連結位置Ｑを、移動部材７２の軸７４より後方に配置してもよい。このような場合、蓋５２の自重が作用する連結位置Ｐが移動部材７２の軸７４より前方に位置するため、蓋５２が下方に移動しやすい状態となるが、上記のように連結位置Ｑに連結部材８６の自重Ｗが作用することで、蓋５２を開放する方向への力Ｆが作用し続けることになるため、蓋５２の自重による下方への移動を抑えることができる。
【００５５】
なお、上記した構成及び作用効果以外は第１実施形態や第２実施形態と同様であり、詳細な説明は省略する。
【００５６】
（第４実施形態）
次に、第４実施形態について図１４及ぶ図１５を参照して説明する。
【００５７】
本実施形態では、蓋５２の開放時に蓋５２の後端部が摺動するガイド面１１０が、上容器５０に設けられている。
【００５８】
詳細には、図１４及び図１５に示すように、上容器５０の後上端部に形成されたフランジ部６４には、後方に行くほど高くなるように傾斜するガイド面１１０が設けられている。
【００５９】
上容器５０が前方に引き出されることに伴って蓋５２が上方に移動する際に、蓋５２の後端部の下面が、フランジ部６４に設けられたガイド面１１０を摺動することで、蓋５２が上方に押圧され上容器５０の開放をスムーズに行うことができる。
【００６０】
そして、図１５に示すように、移動部材７２の重心Ｇが軸７４の下方に到達して蓋５２が最も上方に位置すると、蓋５２の後端部とガイド面１１０との間に間隙Ｓがあり、蓋５２がガイド面１１０から離間している。
【００６１】
本実施形態では、蓋５２が最も上方に位置して上容器５０の上面開口部を開放した状態で、蓋５２とガイド面１１０との間に間隙Ｓを存在するため、蓋５２が上容器５０の上面開口部を開放した後に、上容器５０を野菜室１６から引き出したり、あるいは、上容器５０を野菜室１６に収納したりする際に、蓋５２とガイド面１１０とが擦れることがなくなり異音の発生を抑えることができる。
【００６２】
なお、上記したようなガイド面１１０は、上容器５０の後上端部の幅方向全体にわたって設けてもよく、また、上容器５０の後上端部における左右両側部など一部に設けてもよい。
【００６３】
また、上記した構成及び作用効果以外は他の実施形態と同様であり、詳細な説明は省略する。
【００６４】
（他の実施形態）
上記では本発明の一実施形態を説明したが、この実施形態は、例として提示したものであり、発明の範囲を限定することは意図していない。これら新規な実施形態は、その他の様々な形態で実施されることが可能であり、発明の主旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００６５】
請求項１に記載の実施形態では、蓋を水平な状態で維持しつつ、容器に対して開閉することができる。
【００６６】
請求項２に記載の実施形態では、容器の出し入れだけで、蓋を上下動させることができる。
【００６７】
請求項３に記載の実施形態では、移動部材と押圧部材とが一体であるため、部品点数を少なくすることができる。
【００６８】
請求項４に記載の実施形態では、シール部材によって蓋と容器を密閉することができる。
【００６９】
請求項５に記載の実施形態では、連結部材と押圧部材の荷重負荷によって、複数の移動部材が回動して蓋が上方にスムーズに移動する。
【００７０】
請求項６に記載の実施形態では、密閉部による通気孔の開放により、容器の不圧状態を解消することができる。
【００７１】
請求項７に記載の実施形態では、通気孔の開放を移動部材によって蓋が移動する前に行うため、簡単に容器を前方に引き出すことができる。
【００７２】
請求項８に記載の実施形態では、容器内部の酸素を減少させることができる。
【００７３】
請求項９に記載の実施形態では、減酸素装置が容器の後方にある貯蔵室の背面に配されているため、ユーザの手に届き難い位置に設けることができる。
【００７４】
請求項１０に記載の実施形態では、送風ダクト内に減酸素装置を設置することにより、ユーザが減酸素装置を操作することがない。
【００７５】
請求項１１に記載の実施形態では、下容器には、ペットボトル等の飲料容器や食材を収納できる。
【００７６】
請求項１２に記載の実施形態では、蓋５２を開放した際の上容器５０と蓋５２とのクリアランスを大きく確保することができるとともに、蓋５２が上容器５０に設けられたシール部材６２に擦れにくくなり、蓋５２の開閉をスムーズに行うことがでできる。
【００７７】
請求項１３に記載の実施形態では、上容器５０の上面開口部を開放した蓋が５２が、自重によって下方へ移動するのを抑えることができる。
【００７８】
請求項１４に記載の実施形態では、上容器５０が前方へ引き出されると、蓋５２が上方に押圧され上容器５０の開放をスムーズに行うことができる。
【００７９】
請求項１５に記載の実施形態では、蓋５２が上容器５０の上面開口部を開放した後に、上容器５０を野菜室１６から引き出したり、あるいは、上容器５０を野菜室１６に収納したりする際に、蓋５２とガイド面１１０とが擦れることがなくなり異音の発生を抑えることができる。
【符号の説明】
【００８０】
１０・・・冷蔵庫、１６・・・野菜室、３４・・・リターンダクト、４２・・・扉、４８・・・下容器、５０・・・上容器、５２・・・蓋、５４・・・開口部、５８・・・減酸素装置、６０・・・接続部材、６２・・・シール部材、６４・・・フランジ部、６６・・・溝、６８・・・シール部材、７２・・・移動部材、７４・・・軸、７６・・・第１ガイドピン、７８・・・突部、８０・・・長孔、８２・・・押圧部材、８４・・・リンク軸、８６・・・連結部材、８８・・・開閉部材、９０・・・軸、９２・・・第２ガイドピン、９４・・・密閉部、９６・・・挿入孔、９８・・・リンク軸、１００・・・通気孔、１１０・・・ガイド面、Ｐ・・・連結位置、Ｑ・・・連結位置
【図１】
0005885979.tif 000002
【図２】
0005885979.tif 000003
【図３】
0005885979.tif 000004
【図４】
0005885979.tif 000005
【図５】
0005885979.tif 000006
【図６】
0005885979.tif 000007
【図７】
0005885979.tif 000008
【図８】
0005885979.tif 000009
【図９】
0005885979.tif 000010
【図１０】
0005885979.tif 000011
【図１１】
0005885979.tif 000012
【図１２】
0005885979.tif 000013
【図１３】
0005885979.tif 000014
【図１４】
0005885979.tif 000015
【図１５】
0005885979.tif 000016